(57)【要約】【課題】  門扉をオープンな開放感と、心理的な侵入抑止性によるクローズの安心感を確保したものとする。【解決手段】  起立壁３の道路側に吊元ベース１を固定し、この吊元ベース１を被嵌して開口に向けてスライド突出し、また、吊元ベースにスライド収容するようにスライドバー２を設置する。吊元ベース１とスライドバー２には、それぞれガイドレール１２、２１を備えるとともに、吊元ベース１の開口側先端及びスライドバー２の後端にそれぞれ他方のガイドレール１２、２１に係合するスライドガイド１６、２４とガイドローラー１７、２５を備えることによって、スライドバー２の垂下りを防止し直進性を確保する。開口の反対側には機能門柱４を配置して、スライドバー２の戸当とする。【選択図】  図２
2011144522.tif 000002
【特許請求の範囲】
【請求項１】
長尺の吊元ベースと、該吊元ベースに長手方向スライド自在に配置した開口遮断用長尺のスライドバーとを備え、上記吊元ベースを起立壁又は門柱の上下中間位置に水平に配置し、該吊元ベースにおけるスライドバーのスライド突出とスライド収容によって開口を開閉自在としてなることを特徴とするバースライド門扉。
【請求項２】
上記スライドバーのスライド突出側の開口端部に、該スライドバーのスライド長さを規制する戸当り門柱又は開口を挟んだ起立壁設置の戸当り部材を配置してなることを特徴とする請求項１に記載のバースライド門扉。
【請求項３】
上記吊元ベースを、上記起立壁又は門柱の道路側に配置することによって、スライドバーのスライド開閉を起立壁又は門柱の道路側で行なってなることを特徴とする請求項１又は２に記載のバースライド門扉。
【請求項４】
上記スライドバーを、吊元ベースを被嵌するようにその外側に配置してなることを特徴とする請求項１、２又は３に記載のバースライド門扉。
【請求項５】
上記吊元ベースとスライドバーの表面に、スライドバーのスライド突出時に相互に連続する表面形成のライン又は表面設置の帯材による共通の長手方向連続模様を配置してなることを特徴とする請求項１、２、３又は４に記載のバースライド門扉。
【請求項６】
上記スライドバー又はこれと吊元ベースの表面に、着色合成樹脂又はアルミ押出材の装飾用帯材を配置してなることを特徴とする請求項１、２、３又は４に記載のバースライド門扉。
【請求項７】
吊元ベース及びスライドバーを、アルミ押出材に切断等の加工を施して形成したアルミ製としてなることを特徴とする請求項１、２、３、４、５又は６に記載のバースライド門扉。
【請求項８】
上記吊元ベースとスライドバーにそれぞれガイドレールを配置するとともに該各ガイドレールにスライド自在のスライドガイド及び／又は転動自在のガイドローラーを配置してなることを特徴とする請求項１、２、３、４、５、６又は７に記載のバースライド門扉。
【請求項９】
上記スライドガイド及び／又はガイドローラーを、吊元ベースの開口側先端部とスライドベースの吊元ベース側後端部に配置することによってスライド収容及びスライド突出の如何を問わずにスライドバーを常時吊元ベースに支持自在としてなることを特徴とする請求項８に記載のバースライド門扉。
【請求項１０】
上記スライドガイド及び／又はガイドローラーによるスライドバーの支持を、これらの長手方向に少なくとも３箇所において行ってなることを特徴とする請求項８又は９に記載のバースライド門扉。
【請求項１１】
上記吊元ベースのガイドレールに対するスライドバーのスライドガイド及びガイドローラーを、吊元ベース側後端部に上下位各２箇所配置し且つスライドバーのガイドレールに対する吊元ベースのスライドガイドを開口側先端部に上下位２箇所、ガイドローラーを上位又は下位に１箇所配置して、スライドガイド４箇所、ガイドローラー３箇所でスライドバーを支持してなることを特徴とする請求項１０に記載のバースライド門扉。
【発明の詳細な説明】
【技術分野】
【０００１】
本発明は、建物の玄関に使用する門扉であって、特に、起立壁からスライドバーをスライド突出することによって開口を遮断し得るようにしたバースライド門扉に関する。
【背景技術】
【０００２】
建物の玄関に使用する門扉として、出願人は、下記特許文献１によって、敷地内側に起立壁を、道路側でこの起立壁に配置した引戸を配置して、起立壁に隣接する開口を開閉自在としたものを提案済みであり、これによれば、起立壁における敷地の外側面上下に上向き複数の水平ローラーを、引戸本体の敷地の内側面上下に下向き開口のガイドレールをそれぞれ配置し、該ガイドレールによって水平ローラーを被嵌係合して、引戸本体の開閉に際して、その荷重を下位レールに転動する走行ローラーによって支持し、その自立性を水平ローラーのガイドレールによる被嵌係合によって確保するようにして、引戸本体の軽量な開閉とその直進性を確保し且つその転倒可能性を解消するとともに水平ローラーの道路側への露出を防止するようにして、敷地外側の道路側に引戸本体を、敷地内側に起立壁を配置したユニークな外観を有するものとしてある。
【先行技術文献】
【特許文献】
【０００３】
【特許文献１】特願２００９−４６３１１号
【発明の概要】
【発明が解決しようとする課題】
【０００４】
この場合、従来の引戸門扉と同様に、開口を引戸本体で遮断した、従前と異なる印象の引戸門扉とすることができるが、近時、玄関周りをオープンとすることによって充分な開放感を確保する一方、防犯的な人の侵入を抑制することによるクローズの安心感を得られる門扉が要請される傾向があり、上記特許文献１のものは、この要請に照らすと、なお、オープンな開放感に欠けたものとなる場合が多く、必ずしもこのような要請に応えるものとはいえず、該要請に応じた新規な形態の門扉を提供することが求められる。
【０００５】
本発明は、かかる事情に鑑みてなされたもので、その解決課題とするところは、オープンな開放感とクローズの安心感を併存するようにした新規な門扉を提供するにある。
【課題を解決するための手段】
【０００６】
上記課題に沿って、本発明は、専用のパネル、現場施工のＲＣ壁やブロック壁等の起立壁或いは支柱（門柱）に、長尺の吊元ベースを配置し、該吊元ベースに開口遮断用のスライドバーをスライド自在に配置することによって、吊元ベースからスライドバーをスライド突出して、出入用の開口をスライドバーで閉鎖し、スライドバーを吊元ベースにスライド収容して、該開口を開放することによって、バースライド形態の門扉として、例えば昼間はスライドバーをスライド収容してオープンな開放感を確保する一方、夜間はスライドバーをスライド突出して、心理的な侵入抑止性によるクローズの安心感を確保するようにしたものであって、即ち、請求項１に記載の発明を、長尺の吊元ベースと、該吊元ベースに長手方向スライド自在に配置した開口遮断用長尺のスライドバーとを備え、上記吊元ベースを起立壁又は門柱の上下中間位置に水平に配置し、該吊元ベースにおけるスライドバーのスライド突出とスライド収容によって開口を開閉自在としてなることを特徴とするバースライド門扉としたものである。
【０００７】
請求項２に記載の発明は、上記に加えて、該門扉がスライドバーのスライド突出側先端に戸当り手段を備えることによって、該スライドバーの最大スライド長さを規制し得るものとするように、これを、上記スライドバーのスライド突出側の開口端部に、該スライドバーのスライド長さを規制する戸当り門柱又は開口を挟んだ起立壁設置の戸当り部材を配置してなることを特徴とする請求項１に記載のバースライド門扉としたものである。
【０００８】
請求項３に記載の発明は、同じく上記に加えて、該門扉を、道路側からの外観を良好にした優れたデザインを確保し得るものとするように、これを、上記吊元ベースを、上記起立壁又は門柱の道路側に配置することによって、スライドバーのスライド開閉を起立壁又は門柱の道路側で行なってなることを特徴とする請求項１又は２に記載のバースライド門扉としたものである。
【０００９】
請求項４に記載の発明は、同じく上記に加えて、吊元ベースを被嵌して外側表面にスライドバーを配置することによって、同じく外観を良好にして優れたデザインを確保し得るものとするように、これを、上記スライドバーを、吊元ベースを被嵌するようにその外側に配置してなることを特徴とする請求項１、２又は３に記載のバースライド門扉としたものである。
【００１０】
請求項５に記載の発明は、同じく上記に加えて、スライドバーをスライド突出したとき、吊元ベースとの間で連続する共通のデザインを備えたものとすることによって、外観を更に良好なものとし得るように、これを、上記吊元ベースとスライドバーの表面に、スライドバーのスライド突出時に相互に連続する表面形成のライン又は表面設置の帯材による共通の長手方向連続模様を配置してなることを特徴とする請求項１、２、３又は４に記載のバースライド門扉としたものである。
【００１１】
請求項６に記載の発明は、同じく上記に加えて、スライドバー又はこれと吊元ベースを、合成樹脂又はアルミ押出材の帯材によって、デザインに優れて、外観を更に良好なものとし得るように、これを、上記スライドバー又はこれと吊元ベースの表面に、着色合成樹脂又はアルミ押出材の装飾用帯材を配置してなることを特徴とする請求項１、２、３又は４に記載のバースライド門扉としたものである。
【００１２】
請求項７に記載の発明は、同じく上記に加えて、吊元ベース及びスライドバーをアルミ押出材によって形成することにより、長尺のものでありながらスライドに必要な精度を容易に確保し得るものとするように、これを、吊元ベース及びスライドバーを、アルミ押出材に切断等の加工を施して形成したアルミ製としてなることを特徴とする請求項１、２、３、４、５又は６に記載のバースライド門扉としたものである。
【００１３】
請求項８及び９に記載の発明は、同じく上記に加えて、それぞれ、スライドバーのスライド突出とスライド収納を可及的簡易且つ確実になし得るとともにその安定且つスムーズな作動をなし得るものとするように、請求項８に記載の発明を、上記吊元ベースとスライドバーにそれぞれガイドレールを配置するとともに該各ガイドレールにスライド自在のスライドガイド及び／又は転動自在のガイドローラーを配置してなることを特徴とする請求項１、２、３、４、５、６又は７に記載のバースライド門扉とし、請求項９に記載の発明を、上記スライドガイド及び／又はガイドローラーを、吊元ベースの開口側先端部とスライドバーの吊元ベース側後端部に配置することによってスライド収容及びスライド突出の如何を問わずにスライドバーを常時吊元ベースに支持自在としてなることを特徴とする請求項８に記載のバースライド門扉としたものである。
【００１４】
請求項１０に記載の発明は、同じく上記に加えて、スライド突出とスライド収容を行うスライドバーの自重による垂下りを確実に防止し、その直進性を確保することによって、該スライドバーの作動の安定性を更に向上したものとするように、これを、上記スライドガイド及び／又はガイドローラーによるスライドバーの支持を、これらの長手方向に少なくとも３箇所において行ってなることを特徴とする請求項８又は９に記載のバースライド門扉としたものである。
【００１５】
請求項１１に記載の発明は、同じく上記に加えて、可及的に少ない部材でスライドバーの自重による垂下りの防止と直進性の確保を行って、スライドバーの安定性を高度に確保したものとするように、これを、上記吊元ベースのガイドレールに対するスライドバーのスライドガイド及びガイドローラーを、吊元ベース側後端部に上下位各２箇所配置し且つスライドバーのガイドレールに対する吊元ベースのスライドガイドを開口側先端部に上下位２箇所、ガイドローラーを上位又は下位に１箇所配置して、スライドガイド４箇所、ガイドローラー３箇所でスライドバーを支持してなることを特徴とする請求項１０に記載のバースライド門扉としたものである。
【００１６】
本発明はこれらをそれぞれ発明の要旨として、上記課題解決の手段としたものである。
【発明の効果】
【００１７】
本発明は以上のとおりに構成したから、請求項１に記載の発明は、起立壁或いは支柱に、長尺の吊元ベースを配置し、該吊元ベースに開口遮断用のスライドバーをスライド自在に配置することによって、吊元ベースからスライドバーをスライド突出して、出入用の開口をスライドバーで閉鎖し、スライドバーを吊元ベースにスライド収容して、該開口を開放することによって、バースライド形態の門扉として、例えば昼間はスライドバーをスライド収容してオープンな開放感を確保する一方、夜間はスライドバーをスライド突出して、心理的な侵入抑止性によるクローズの安心感を確保するようにして、オープンな開放感とクローズの安心感を併存するようにした新規な門扉を提供することができる。
【００１８】
請求項２に記載の発明は、上記に加えて、該門扉がスライドバーのスライド突出側先端に戸当り手段を備えることによって、該スライドバーの最大スライド長さを規制し得るものとすることができる。
【００１９】
請求項３に記載の発明は、同じく上記に加えて、該門扉を、道路側からの外観を良好にした優れたデザインを確保し得るものとすることができる。
【００２０】
請求項４に記載の発明は、同じく上記に加えて、吊元ベースを被嵌して外側表面にスライドバーを配置することによって、同じく外観を良好にして優れたデザインを確保したものとすることができる。
【００２１】
請求項５に記載の発明は、同じく上記に加えて、スライドバーをスライド突出したとき、吊元ベースとの間で連続する共通のデザインを備えたものとすることによって、外観を更に良好なものとすることができる。
【００２２】
請求項６に記載の発明は、同じく上記に加えて、スライドバー又はこれと吊元ベースを、合成樹脂又はアルミ押出材の帯材によって、デザインに優れて、外観を更に良好なものとすることができる。
【００２３】
請求項７に記載の発明は、同じく上記に加えて、吊元ベース及びスライドバーをアルミ押出材によって形成することにより、長尺のものでありながらスライドに必要な精度を容易に確保したものとすることができる。
【００２４】
請求項８及び９に記載の発明は、同じく上記に加えて、それぞれ、スライドバーのスライド突出とスライド収納を可及的簡易且つ確実になし得るとともにその安定且つスムーズな作動をなし得るものとすることができる。
【００２５】
請求項１０に記載の発明は、同じく上記に加えて、スライド突出とスライド収容を行うスライドバーの自重による垂下りを確実に防止し、その直進性を確保することによって、該スライドバーの作動の安定性を更に向上したものとすることができる。
【００２６】
請求項１１に記載の発明は、同じく上記に加えて、可及的に少ない部材でスライドバーの自重による垂下りの防止と直進性の確保を行って、スライドバーの安定性を高度に確保したものとすることができる。
【図面の簡単な説明】
【００２７】
【図１】バースライド門扉の設置状態を示す正面図である。
【図２】バースライド門扉の正面図である。
【図３】バースライド門扉の平面図である。
【図４】バースライド門扉の側面図である。
【図５】吊元ベースとスライドバーのスライドガイドとガイドローラーの配置状態を示すそれぞれの背面図である。
【図６】吊元ベースの縦断面図である。
【図７】スライドバーの縦断面図である。
【図８】バースライド門扉の正面図である。
【図９】図８のＡ‐Ａ線縦断面図である。
【図１０】図８のＢ‐Ｂ線縦断面図である。
【図１１】図８のＣ‐Ｃ線縦断面図である。
【図１２】図８のＤ‐Ｄ線縦断面図である。
【図１３】バースライド門扉の側面図である。
【図１４】吊元ベースとスライドバーの部材配置状態を示す斜視図である。
【発明を実施するための形態】
【００２８】
以下図面の例に従って本発明を更に具体的に説明すれば、Ａは、図１に示す如くに、建物、例えば、住宅の玄関先に設置して使用するバースライド門扉であり、該門扉Ａは、長尺の吊元ベース１と、該吊元ベース１に長手方向スライド自在に配置した開口遮断用長尺のスライドバー２とを備え、上記吊元ベース１を起立壁又は門柱、本例にあっては起立壁３の上下中間位置に水平に配置し、該吊元ベース１におけるスライドバー２のスライド突出とスライド収容によって開口を開閉自在としたものとしてあり、このとき、本例の門扉Ａは、上記スライドバー２のスライド突出側の開口端部に、該スライドバー２のスライド長さを規制する戸当り門柱又は開口を挟んだ起立壁設置の戸当り部材、本例にあっては、インターホン、表札、郵便受等を配置した戸当門柱４、即ち、機能門柱を配置したものとし、また、上記吊元ベース１は、これを、上記起立壁３の道路側に配置することによって、スライドバー２のスライド開閉を起立壁の道路側で行なったものとし、本例にあって該スライドバー２は、これを、吊元ベース１を被嵌するようにその外側に配置したものとしてある。
【００２９】
本例の門扉Ａにおける、バースライド門扉Ａは、その高さ幅を、例えば１０乃至２０ｃｍ程度、本例にあっては１５ｃｍ程度、長さを、開口  の幅に合せて１．５ｍ程度としてあり、このとき該門扉Ａにおける上記吊元ベース１とスライドバー２の表面に、スライドバー２のスライド突出時に相互に連続する表面形成のライン又は表面設置の帯材、本例にあっては帯材１５、２３による共通の長手方向連続模様を配置したものとしてある。
【００３０】
本例にあって、吊元ベース１とスライドバー２は、これらを、アルミ押出材に切断等の加工を施して形成したアルミ製にして、上記１．５ｍ程度の長さのものとしてあり、該アルミ押出材は、本例の吊元ベース１にあってベース本体１０と該ベース本体１０の正面側に一体的に配置した正面プレート１４を備えた２部材構成としてある。該ベース本体１０は、裏面に上下一対のタッピングホールを配置し且つ該正面に向けて交差突出した上下突出部の内側にスライド突条を配置した断面コ字状の縦基板１１と、該縦基板１１の上下突出部の先端から外側に向けて起立して、先端に対向方向の内側に向けて屈曲した屈曲条１３を有する上下のガイドレール１２を備えた厚肉にしてハット型の断面形状のものとし、正面プレート１４を、その表面中央位置に断面Ｃ字状の凹溝を備えた正面基板と、裏面に向けて交差突出し、対向面にスライド溝条を配置した上下突出部を備えたものとし、これらベース本体１０と正面プレート１４を、スライド突条とスライド溝条を嵌合することによって、これらを一体化したものとしてある。
【００３１】
スライドバー２は、表面中央位置に、上記正面プレートの凹溝と同幅（同高さ）の断面Ｃ字状の凹溝を配置した断面コ字状の縦基板２０と、該縦基板２０の上下突出部の先端から内側に向けて起立して、先端に非対向方向の外側に向けて屈曲した屈曲条２３を有する上下のガイドレールを備えた厚肉にしてＣ字状の断面形状のものとしてある。
【００３２】
このとき、上記スライドバー２を、吊元ベース１を被嵌するようにその外側に配置した本例の門扉Ａにあって、上記スライドバー２に用いたアルミ押出材は、吊元ベース１の上下のガイドレール１２を、縦基板２０の上下に対面配置するようにＣ字状の断面形状の内側に受入れ自在としてあり、これによって、本例のバースライド門扉Ａにあって、該スライドバー２を、吊元ベース１を被嵌するように吊元ベース１の外側に配置するようにしてある。また、これら吊元ベース１及びスライドレール２の各断面Ｃ字状の上記凹溝には、例えばアクリル、ポリカーボネート等の耐候性に優れた、顔料添加によって着色した同色同幅の帯材１５、２３を、それぞれ長手方向からスライド挿入して全長に亘って装着してあり、これによって、本例のバースライド門扉Ａにあって、上記共通の長手方向連続模様を形成するようにしてある。
【００３３】
このように構成した上記吊元ベース１とスライドバー２には、これらに配置した各ガイドレール１２、２１にスライド自在のスライドガイド及び／又は転動自在のガイドローラー、本例にあってはスライドガイド１６、２４及びガイドローラー１７、２５を配置してある。スライドガイド１６、２４は、上下にレール受溝を配置し中間に連結部を配置した断面Ｈ字状をなす合成樹脂又はアルミ製の成形材、例えばＰＯＲ等の耐久性ある合成樹脂製のものとしてあり、また、ガイドローラー１７、２５は、金属基板、例えばＳＵＳ板に、同じくＰＯＲ等の耐久性ある合成樹脂製のローラーを軸支固定したものとしてある。
【００３４】
該スライドガイド１６、２４及びガイドローラー１７、２５は、これを、吊元ベース１の開口側先端部とスライドバー２の吊元ベース側後端部に配置することによって、バースライド門扉Ａにあって、スライド収容及びスライド突出の如何を問わずにスライドバー２を常時吊元ベース１に支持自在としたものとしてあり、このとき、本例の上記スライドガイド１６、２４及びガイドローラー１７、２５によるスライドバー２の支持は、これを、これらの長手方向に少なくとも３箇所において行うとともに、本例にあって、上記吊元ベース１のガイドレール１２に対するスライドバー２のスライドガイド２４及びガイドローラー２５は、これらを、吊元ベース側後端部に上下位各２箇所配置し且つスライドバー２のガイドレール２１に対する吊元ベース１のスライドガイド１６を開口側先端部に上下位２箇所、ガイドローラー１７を上位又は下位に１箇所配置して、スライドガイド１６を４箇所、ガイドローラー１７を３箇所としてスライドバー２を支持したものとしてある。
【００３５】
即ち、スライドガイド１６、２４は吊元ベース１とスライドバー２に各２箇所の合計４箇所、ガイドローラー１７、２５は吊元ベース１に１箇所、スライドバー２に２箇所の合計３箇所に配置するとともにこれら配置を、吊元ベース１の長手方向開口側の先端に、スライドバー２の長手方向吊元ベース側の後端において行うことによって、バースライド門扉Ａにあって、スライドバー２を吊元ベース１から、その先端を戸当り門柱４に対接する位置までスライド突出したとき、スライドガイド１６、２４乃至ガイドローラー１７、２５が、吊元ベース１の開口側の先端に集合するように位置して、スライドバー２を支持し、スライドバー２を、吊元ベース１にスライド収容したとき、スライドガイド１６、２４乃至ガイドローラー１７、２５がバースライド門扉Ａの長手方向両端側に分散するように位置して、同じくスライドバー２を支持するものとし、従って、スライドバー２のスライド突出及びスライド収容の如何を問わず、スライドバー２は、これを常時これらのスライドガイド１６、２４乃至ガイドローラー１７、２５によって安定支持したものになる。
【００３６】
このとき、本例の吊元ベース１にあって上記２箇所のスライドガイド１６は、開口側の先端に、上下に対向して、その前後位置をスライドバー２のガイドレール２１位置に合せて、例えば、その上記上下突出部  にネジ５止め固定することによって、該スライドバー１の上記上下のガイドレール２１に係合するように、その配置を行ない、また、上記１箇所のガイドローラー１７は、本例にあって、吊元ベース１の上位にして、同じくスライドバー２の上位のガイドレール２１位置、特にその下向きの屈曲条２２の位置に合せて、ガイドローラー１７を軸支した金属基板を吊元ベース１、特のベース本体１０のガイドレール１２を部分的に切欠いた上下突出部にネジ５止め固定することによって、該スライドバー２における上位のガイドレール２１の上記屈曲条２２に対接して、該屈曲条２２を下支え支持するように、その配置を行なってある。このとき、上位のスライドガイド１６とガイドローラー１７は、その位置関係を、開口側の先端前方にスライドガイド１６を、先端後方に、該スライドガイド１６に近接してこれらと直列をなすように、ガイドローラー１７を配置したものとしてある。
【００３７】
一方、本例のスライドバー２にあって上記２箇所のスライドガイド２４は、吊元側の後端に、同じく上下に対向して、その前後位置を吊元ベース１のガイドレール１２位置に合せて、同じく、例えば、その上記上下突出部の先端から内側に向けて起立した起立部にネジ５止め固定することによって、該吊元ベース１の上記上下のガイドレール１２に係合するように、その配置を行ない、また、上記２箇所のガイドローラー２５は、該スライドバー２の上下に対向して、同じく吊元ベース１の上位のガイドレール１２位置、特にその下向きの屈曲条１３の位置に合せて、ガイドローラー２５を軸支した金属基板を吊元ベース１の上記起立部にネジ５止め固定することによって、該吊元ベース１の上下のガイドレール１２の上記屈曲条１３に対接して、該屈曲条１３に載置するように、その配置を行なってある。このとき、スライドガイド２４とガイドローラー２５は、その位置関係を、長手方向端部の先端後方（後端側）にスライドガイド２４を、後端前方に、該スライドガイド２４に近接してこれらと直列をなすように、ガイドローラー２５を配置したものとしてある。
【００３８】
吊元ベース１とスライドバー２のスライドガイド１６、２４及びガイドローラー１７、２５は、以上のとおり、これらをそれぞれ長手方向各端部に集合的に配置することによって、上記スライドバー２の支持を、これらの長手方向に少なくとも３箇所、本例にあって３箇所において行って、該スライドバー２の垂下り防止とスライドの直進性を確保するようにしてある。
【００３９】
これら吊元ベース１とスライドバー２を備えたバースライド門扉Ａは、スライドガイド１６、１７とガイドローラー２４、２５の非設置側の端部、即ち、吊元ベース１の開口と逆側の後端から、スライドバー２の開口側先端を、該スライドバー２によって吊元ベース１を被嵌し且つ吊元ベース１及びスライドバー２のスライドガイド１６、２４を、それぞれスライドバー２及び吊元ベース１のガイドレール２１、１２に係合し、また、ガイドローラー１７、２５を同じく吊元ベース１とスライドバー２のガイドレール２１、１２の屈曲条１３、２２に対接するように、相互に嵌め込み状にスライド装着するようにしてあり、これによって、吊元ベース１に対するスライドバー２の開口側に向けたスライド突出と該吊元ベースに対するスライド収容をなし得るようにしてある。
【００４０】
本例にあって門扉Ａは、これを、例えば、アルミ押出材の中空板材３１を上下に多数配置して形成したアルミ製の横張りパネルによる起立壁３の道路側に、その吊元ベース１を配置することによって、該起立壁３に隣接し且つ上記機能門柱とした戸当り門柱４との間に配置した出入用の開口の開閉を行うようにしてある。
【００４１】
該吊元ベース１の起立壁３への配置は、例えば、起立壁３の中間位置に、上記中空板材３１間にバースライド門扉Ａを介設するように、起立壁３の両端及び幅方向中間に配置した支柱３０に、上記中空板材３１と同様にベース本体１０をネジ固定して行ったものとしてあり、このとき該ベース本体１０の縦基板１１を中空板材３１と同一高さ幅とすることによって、起立壁３の背面側を上下方向に同一デザインを呈するようにしてある。
【００４２】
起立壁３においてバースライド門扉Ａのスライドバー２は、そのスライド収容の限界を画するように、例えば、図示省略のストッパーを配置することによって、吊元ベース１から脱出するのを防止する一方、開口側先端に引手２７を配置して、その開閉を容易になし得るようにしてある。
【００４３】
図中１８は、吊元ベース１のベース本体１０に配置したタッピングホールにネジを螺入することによって該吊元ベース１の端面を閉塞した端部カバー、２６は、スライドバー２の端部に位置するスライドガイド２４にネジを螺入することによって該スライドバー２の端面を閉塞した端部カバーを示す。
【００４４】
このように起立壁に設置した本例のバースライド門扉Ａは、例えば、昼間はスライドバー２をスライド収容してオープンな開放感を確保する一方、夜間はスライドバー２をスライド突出して、心理的な侵入抑止性によるクローズの安心感を確保することができ、該門扉Ａを起立壁の道路側に配置し、スライドバー２が吊元ベース１を被嵌するように外側に配置し、また、スライドバー２と吊元ベース１に共通の長手方向連続模様を配置したこと等によって、新規な門扉形態をなすとともに道路側からの外観を良好にした優れたデザインにして斬新なものとすることができる。更に、吊元ベース１に対するスライドバー２のスライド突出及びスライド収容を、ガイドレール１２、２１に対して係合し、また対接するスライドガイド１６、２４やガイドローラー１７、２５を用いて支持したことによって安定した確実な開閉を行うものとするとともに該支持を、スライドバー２の後端部における上下位各２箇所のスライドガイド２４とガイドローラー２５、吊元ベース１の開口側先端部における上下位２箇所のスライドガイド１６、上位１箇所のガイドローラー１７によって行うようにしたことにより、可及的に少ない部材によって、スライドバー２の自重による垂下りの防止とその直進性を高度に確保したものとすることができる。
【００４５】
図示した例は以上のとおりとしたが、起立壁を、既設乃至新設のＲＣ乃至ブロック塀とし、また、例えば、アルミ製の横桟を多数配置した格子パネルとし、吊元ベース及び／又はスライドバーを該横桟配置状のリブを備えたものとすること、既設壁に代えて、吊元ベースを起立した複数の門柱に架設するように配置すること、バースライド門扉を、起立壁又は門柱に上下複数配置し、また、起立壁又は門柱の敷地側に配置すること、例えば、吊元ベースにスライドバーを挿入配置することによって、スライドバーを吊元ベースに嵌合するようにその内側に配置したものとすること、戸当り門柱に代えて、開口を挟んだ起立壁設置の戸当り部材を用いること、この場合、起立壁の外側に、短尺に切断した吊元ベースとスライドバーのアルミ押出材の組合せによってブロック状に形成したものを用いること、上記スライドバー又はこれと吊元ベースの表面に、着色合成樹脂又はアルミ押出材の装飾用帯材を配置したものとすること等を含めて、本発明の実施に当って、吊元ベース、スライドバー、起立壁又は門柱、戸当り門柱又は戸当り部材、スライドガイド、ガイドローラー等の各具体的形状、構造、材質、これらの関係、これらに対する付加等は、上記発明の要旨に反しない限り様々な形態のものとすることができる。
【符号の説明】
【００４６】
Ａ  バースライド門扉
１  吊元ベース
１０  ベース本体
１１  縦基板
１２  ガイドレール
１３  屈曲条
１４  正面プレート
１５  帯材
１６  スライドガイド
１７  ガイドローラー
１８  端部カバー
２  スライドバー
２０  縦基板
２１  ガイドレール
２２  屈曲条
２３  帯材
２４  スライドガイド
２５  ガイドローラー
２６  端部カバー
２７  引手
３  起立壁
３０  支柱
３１  中空板材
４  戸当り門柱
５  ネジ
【図１】
2011144522.tif 000003
【図２】
2011144522.tif 000004
【図３】
2011144522.tif 000005
【図４】
2011144522.tif 000006
【図５】
2011144522.tif 000007
【図６】
2011144522.tif 000008
【図７】
2011144522.tif 000009
【図８】
2011144522.tif 000010
【図９】
2011144522.tif 000011
【図１０】
2011144522.tif 000012
【図１１】
2011144522.tif 000013
【図１２】
2011144522.tif 000014
【図１３】
2011144522.tif 000015
【図１４】
2011144522.tif 000016